(57)【要約】【課題】  設置部材と下地合板との干渉を避けつつ、必要な箇所に下地合板を配置することができる連結金具及び屋内壁面構造を提供する。【解決手段】連結金具１は、屋内面Ｓに沿って固定される固定物３を支持するために内装材４の裏面に設けられる左右に分割された一対の下地合板５を連結する連結金具１であって、前記一対の下地合板５にそれぞれ固定する両側の固定部１１と、当該固定部１１同士を連結する平板状の連結部１２と、を備え、前記連結部１２は前記下地合板５よりも薄く、且つ、当該下地合板５の厚さ方向における前記内装材４寄りの位置に配置される。【選択図】図１
2019105057.tif 000002
【特許請求の範囲】
【請求項１】
屋内面に沿って固定される固定物を支持するために内装材の裏面に設けられる左右に分割された一対の下地合板を連結する連結金具であって、
前記一対の下地合板にそれぞれ固定する両側の固定部と、当該固定部同士を連結する平板状の連結部と、を備え、
前記連結部は前記下地合板よりも薄く、且つ、当該下地合板の厚さ方向における前記内装材寄りの位置に配置されることを特徴とする連結金具。
【請求項２】
前記連結部の前記内装材側と逆側となる面に緩衝材が設けられることを特徴とする請求項１に記載の連結金具。
【請求項３】
前記固定部は前記下地合板の前記内装材側となる面に当接する平面部と、前記下地合板の前記内装材と逆側となる面に当接する当接片とを有し、前記下地合板の端部を挟んで保持するものであり、
前記当接片はその先端が前記平面部から離反する方向に延びることを特徴とする請求項１又は請求項２に記載の連結金具。
【請求項４】
壁内、天井懐内、又は小屋裏内に設置される設置部材と、
屋内面を形成する内装材と、
前記屋内面に沿って固定される固定物を支持するために、前記内装材の裏面に設けられる左右に分割された一対の下地合板と、
前記一対の下地合板を連結する連結金具と、を備え、
前記連結金具は、前記一対の下地合板にそれぞれ固定する両側の固定部と、前記固定部の間で当該固定部同士を連結する平板状の連結部と、を有し、
前記連結部は、前記下地合板よりも薄く、当該下地合板の厚さ方向における前記内装材寄りの位置に配置されており、
前記設置部材はその一部が前記一対の下地合板の間に挿入されていることを特徴とする屋内面構造。
【発明の詳細な説明】
【技術分野】
【０００１】
本発明は、内装材の裏面に設けられて固定物を支持する下地合板同士を連結する連結金具及び屋内面構造に関する。
【背景技術】
【０００２】
例えば、手摺、棚、又は電気機器などの固定物を屋内面に固定する位置には、内装材の裏面に下地合板を配置しておき、建物設備の荷重を支えていて、建物設備の脱落を防止している（特許文献１参照）。また、屋内面に間仕切壁の端部が突き当たる位置に間仕切壁の端部を固定する場合にも下地合板を配置する場合がある。
【先行技術文献】
【特許文献】
【０００３】
【特許文献１】特開２０１５−１２４６００号公報
【発明の概要】
【発明が解決しようとする課題】
【０００４】
上述のように、屋内面には様々な固定物を支持するために、内装材の裏面に下合板を配置するが、このような下地合板を配置することで、壁内、天井懐内、又は小屋裏内の空間が減少し、これらの空間に設けられた柱や梁、立ち上がり配管などの設置部材と下地合板が干渉するおそれがある。そこで、このような設置部材と下地合板との干渉を避けるために、屋内面を屋内側にふかすと、屋内の空間が減少することになる。
【０００５】
そこで、本発明は設置部材と下地合板との干渉を避けつつ、必要な箇所に下地合板を配置することができる連結金具及び屋内壁面構造を提供することを目的とする。
【課題を解決するための手段】
【０００６】
本発明の連結金具は、屋内面に沿って固定される固定物を支持するために内装材の裏面に設けられる左右に分割された一対の下地合板を連結する連結金具であって、前記一対の下地合板にそれぞれ固定する両側の固定部と、当該固定部同士を連結する平板状の連結部と、を備え、前記連結部は前記下地合板よりも薄く、且つ、当該下地合板の厚さ方向における前記内装材寄りの位置に配置されることを特徴としている。
【０００７】
本発明の連結金具は、上記の特徴に加えて、前記連結部の前記内装材側と逆側となる面に緩衝材が設けられることを特徴としている。
【０００８】
本発明の連結金具は、上記の特徴に加えて、前記固定部は前記下地合板の前記内装材側となる面に当接する平面部と、前記下地合板の前記内装材と逆側となる面に当接する当接片とを有し、前記下地合板の端部を挟んで保持するものであり、前記当接片はその先端が前記平面部から離反する方向に延びることを特徴としている。
【０００９】
本発明の屋内壁面構造は、壁内、天井懐内、又は小屋裏内に設置される設置部材と、屋内面を形成する内装材と、前記屋内面に沿って固定される固定物を支持するために、前記内装材の裏面に設けられる左右に分割された一対の下地合板と、前記一対の下地合板を連結する連結金具と、を備え、前記連結金具は、前記一対の下地合板にそれぞれ固定する両側の固定部と、前記固定部の間で当該固定部同士を連結する平板状の連結部と、を有し、前記連結部は、前記下地合板よりも薄く、当該下地合板の厚さ方向における前記内装材寄りの位置に配置されており、前記設置部材はその一部が前記一対の下地合板の間に挿入されていることを特徴としている。
【発明の効果】
【００１０】
本発明の連結金具によると、左右に分割された一対の下地合板を連結金具で連結することによって一体化することができ、分割されていない一枚の下地合板を固定する場合と同様の納まりで壁内、天井懐内、又は小屋裏内に固定することができる。そして、連結金具の連結部は下地合板よりも薄く、且つ、当該下地合板の厚さ方向における内装材寄りの位置に配置されるので、例えば柱材や梁材などの設置部材が設置される位置で下地合板を左右に分割することで、これらの設置部材と下地合板との干渉を避けることができ、屋内壁面を屋内側にふかすことなく、必要な箇所に下地合板を配置することができる。
【００１１】
本発明の連結金具によると、連結部の内装材側と逆側となる面に緩衝材が設けられるので、設置部材が連結金具の連結部に当接して異音が発生することを防止することができる。
【００１２】
本発明の連結金具によると、固定部の当接片の先端が平面部から離反する方向に延びるので、下地合板を当接片と平面部との間に挿入する際にガイドの役割を果たすことができ、挿入を容易にすることができる。
【００１３】
本発明の屋内面構造によると、左右に分割された一対の下地合板を連結金具で連結することによって一体化するので、分割されていない一枚の下地合板を固定する場合と同様の納まりで壁内、天井懐内、又は小屋裏内に固定することができる。そして、連結金具の連結部は下地合板よりも薄く、且つ、当該下地合板の厚さ方向における内装材寄りの位置に配置されており、例えば柱や梁などの設置部材はその一部が一対の下地合板の間に挿入されているので、設置部材と下地合板との干渉を避けることができ、屋内面を屋内側にふかすことなく、必要な箇所に下地合板を配置することができる。
【図面の簡単な説明】
【００１４】
【図１】屋内面構造の全体構成を示す断面図及び部分拡大図。
【図２】連結金具の平面図及び側面図。
【図３】連結金具の斜視図。
【図４】屋内面構造の変形例であって、設置部材として１つのＨ形鋼からなる柱材が間仕切壁内に配置されている屋内面構造を示す断面図。
【図５】屋内面構造の変形例であって、設置部材として１つのＣ形鋼からなる柱材が壁内に配置されている屋内面構造を示す断面図。
【図６】屋内面構造の施工順を示す断面図であり、木スタッドに設けられた固定具に連結金具によって連結した一対の下地合板を固定する状態を示す断面図。
【図７】屋内面構造の施工順を示す断面図であり、一対の下地合板を木スタッドの間に固定した後、内装材を木スタッドに固定する状態を示す断面図。
【図８】屋内面構造の施工順を示す断面図であり、プレートを介して、固定物を固定する前の状態を示す断面図。
【図９】屋内面構造の施工順を示す断面図であり、固定物を固定した状態を示す断面図。
【図１０】変形例として、間仕切壁の端部を屋内面構造に固定する状態を示す断面図。
【図１１】図１の屋内面構造の変形例であって、下地合板が厚さが厚い場合の屋内面構造を示す断面図。
【発明を実施するための形態】
【００１５】
以下、本発明に係る連結金具１及び屋内面構造２の最良の実施形態について、各図を参照しつつ説明する。屋内面構造２は、例えば屋内面Ｓに沿って固定される固定物３を支持するために内装材４の裏面に下地合板５を設けた構造である。ここで屋内面Ｓは、屋内側を向いた壁面又は天井面である。本実施形態においては、屋内外を隔てる壁の屋内側の面に形成される屋内面構造２について図示して説明するが、例えば屋内の空間を間仕切る壁のいずれか一方の面や天井懐又は小屋裏と屋内空間とを仕切る天井面に形成される屋内面構造２であってもよい。
【００１６】
屋内面構造２は、図１に示すように、壁内に設置される設置部材６と、屋内面Ｓを形成する内装材４と、内装材４の裏面に左右に分割されて設けられる一対の下地合板５と、一対の下地合板５を連結する連結金具１とを備えている。設置部材６は本実施形態においては、２つのＨ形鋼が一体に連結されて立設された耐力柱である。設置部材６の屋外側には外装材７及び外壁枠８からなる外壁構成材９が配置されている。また設置部材６を構成するＨ形鋼のフランジ内には断熱材１０が挿入されており、またフランジの屋外側にも断熱材１０が配置されている。なお、本実施形態においては屋内外を隔てる壁の屋内側の面を屋内面構造２として説明しているので、設置部材６の屋外側に外壁構成材９が設けられ、また、壁内に断熱材１０が配置されているが、例えば図４に示すように、屋内面構造２が屋内空間を間仕切る壁の一方の屋内面Ｓに設けられる屋内面構造２である場合には、設置部材６を挟んで逆側にも内装材４が設けられる。
【００１７】
なお、本発明における設置部材６は上述のような２つのＨ形鋼を一体化した耐力柱に限られるものではない。例えば、図４に示すように１つのＨ形鋼や図５に示すようにＣ形鋼などの鋼材からなる鋼製柱材であっても良い。また、設置部材６は、鋼製柱材に限定されるものではなく、図示しないが壁内に立ち上がる配管であっても良い。また、屋内面Ｓが天井面である場合には設置部材６は天井懐や小屋裏に配置される梁材であってもよい。設置部材６は、内装材４の裏面に設けられる下地合板５と一部が干渉しうる部材であればどのような部材であってもよい。
【００１８】
内装材４は、例えば屋内壁面や天井面などの屋内面Ｓを形成する石膏ボードなどの板材である。内装材４の屋内面Ｓにはクロスなどの図示しない化粧材が貼付されていても良い。一対の下地合板５は図９に示すように、屋内面Ｓに沿って配置される固定物３を固定するためのビス下地となる合板である。下地合板５は固定物３を固定する部分にのみ配置されていればよい。固定物３は、例えば屋内壁面や天井面などの屋内面Ｓに沿って設置される空気調和機、照明機器、カーテンレール、壁面棚、手摺などを例示することができる。また固定物３としては、例えば、図１０に示すように、屋内面Ｓに突き当たる間仕切壁や袖壁であっても良い。内装材４と設置部材６の最も接近する位置の距離は下地合板５の厚さ以下となっており、設置部材６が設置された位置に当該設置部材６と干渉することなく下地合板５を配置することはできない。そこで、下地合板５は設置部材６と干渉する箇所で左右に分割して設置部材６との干渉を避けている。
【００１９】
そして、連結金具１は、左右に分割された一対の下地合板５を連結する金具である。連結金具１は、一枚の平板な金属材料をプレス加工して形成した金具である。なお、連結金具１はプレス加工により形成されたものに限定されるものではなく、溶接その他の適切な方法で形成されていれば良い。連結金具１は、図２及び図３に示すように、一対の下地合板５の端部にそれぞれ固定される両側に設けられた固定部１１と、当該固定部１１同士を連結する平板状の連結部１２と、連結部１２に貼り付けられた緩衝材１３とを有する。
【００２０】
固定部１１は、連結部１２を挟んで両側に形成されており、平板状に形成された平面部１４と、平面部１４の連結部１２側の側縁の中央から立ち上がって形成される立腕部１５と、立腕部１５の先端に形成され平面部１４に対向して延びる当接片１６と、を有している。下地合板５の側端部は、図３に示すように、固定部１１の平面部１４及び当接片１６の間に挿入されて固定される。平面部１４には下地合板５に打ち込まれるビスを挿入するビス孔１７が形成されている。立腕部１５は平面部１４に対して垂直な平板状であり、下地合板５の厚さと略等しい長さを有する。また、当接片１６は、中間位置が平面部１４に接近するように僅かに湾曲して形成されており、当接片１６の先端は平面部１４から離反する方向に延びている。当接片１６の最も接近する位置における平面部１４との距離は、下地合板５の厚さよりも短く、下地合板５の端部を当接片１６と平面部１４との間に挿入する際に、当接片１６の先端が平面部１４から離れていることで、下地合板５の端部を案内するガイドの役割を果たし、更に下地合板５を挿入すると、当接片１６が平面部１４と離れる方向に弾性変形し下地合板５を受け入れることで、下地合板５をがたつき無く挟持している。なお、平面部１４は下地合板５の内装材４側の面に当接し、当接片１６は下地合板５の設置部材６側の面に当接する。
【００２１】
連結部１２は、両側の固定部１１の平面部１４からぞれぞれ立ち上がる突出部１８と、突出部１８の先端同士を繋ぐ連結体１９とを有している。連結体１９は、側面視したときにその両端が立腕部１５の当接片１６よりも平面部１４に近い位置となるように配置されている。連結金具１には、一方の平面部１４から連結部１２を通って他方の平面部１４に到るリブ２０が形成されている。リブ２０は平面部１４及び連結部１２の一部を連続的に膨出させて形成されており、平面部１４及び連結部１２の折曲位置が補強されている。
【００２２】
緩衝材１３は連結体１９の当接片１６側の面に２箇所貼り付けられている。緩衝材１３は例えばウレタンフォームなどの弾性樹脂材料、フェルトなどの繊維材料を用いることができる。緩衝材１３は、金属の間に介在して金属同士の衝撃や擦れによる異音の発生を防止できるものであればどのような材料であってもよい。
【００２３】
なお、連結金具１によって連結された一対の下地合板５は、図１に示すように、連結金具１の固定部１１の平面部１４が内装材４側になるように木スタッド２１の間に配置される。そして、固定部１１に下地合板５を固定したときの下地合板５の厚さ方向における連結金具１の各部の寸法は、平面部１４と連結体１９との間の距離は約３ｍｍに形成されており、当接片１６と平面部１４との間の距離は約１２ｍｍに形成されている。したがって、当接片１６と連結体１９との間には約９ｍｍの距離が形成されている。当接片１６は下地合板５の設置部材６側の面に当接するものであるので、連結体１９が当接片１６から約９ｍｍ離れていることで、分割された一対の下地合板５の間には設置部材６側の面から約９ｍｍが下地合板５の厚さ方向に凹んだ空間となる。したがって、設置部材６の一部がこの空間内に配置されることで、下地合板５と設置部材６とが干渉することなく、設置部材６の必要な断面積を取ることができる。
【００２４】
なお、下地合板５の厚さは約１２ｍｍであり、屋内面構造２を完成させた状態において、連結部１２は下地合板５よりも薄く、且つ、下地合板５の厚さ方向における内装材４寄りの位置に配置されることとなる。ここで「下地合板の厚さ方向における内装材寄りの位置」とは、下地合板５を連結部１２の連結体１９の位置が下地合板５の厚さ方向の中央よりも内装材４に接近する位置である。
【００２５】
また、連結金具１の両側の固定部１１の間の長さ、すなわち連結部１２の幅方向の長さは、本実施形態においては設置部材６としてのＨ形鋼のフランジの先端を挿入可能な約２０ｍｍであるが、例えば図５に示すように、設置部材６がＣ形鋼である場合には、連結部１２の幅方向の長さは、当該Ｃ型鋼のフランジの幅方向の長さ以上であることが好ましい。連結部１２の幅方向の長さは、設置部材６の形状に応じて変更される。なお、連結金具１は連結する下地合板５の厚さに応じて、固定部１１の立腕部１５の長さが異なる複数種類の金具１を用意しておいても良い。図１１に示すように、立腕部１５を長く形成することで、下地合板５が厚い場合でも連結することができ、より重量の重い固定物３を固定する場合等に厚い下地合板５を配置することができる。
【００２６】
屋内面構造２の施工工程は、まず、分割された一対の下地合板５同士を連結金具１によって連結して一体化する。具体的には下地合板５の側端部を連結金具１の固定部１１の平面部１４と当接片１６との間に挿入する。そして、平面部１４のビス孔１７から下地合板５にビスを打ち込んで下地合板５と連結金具１とを固定し、一対の下地合板５同士を連結する。そして、図６に示すように、内装材４の下地として配置されている木スタッド２１に設けられた固定具２２に一体化した下地合板５の端部を固定して、下地合板５を木スタッド２１の間に固定する。このとき、設置部材６としての耐力柱のフランジが分割された下地合板５の間に配置されることで、耐力柱のフランジと下地合板５との干渉を避けることができる。そして、下地合板５を木スタッド２１の間に固定すると、図７に示すように、内装材４を木スタッド２１の屋内側にビスで固定して屋内面構造２を完成させる。
【００２７】
このようにして完成された屋内面構造２の屋内面Ｓに固定物３を固定する際には、例えば図８に示すように、固定物３としての空気調和機の室内機を支持するためのプレート２３を内装材４にビスで固定する。内装材４の裏面には下地合板５が配置されているので、内装材４及び下地合板５にビスが打ち込まれてプレート２３が固定される。そして、このプレート２３に固定物３を係止することで、図９に示すように、固定物３を内装材４に沿って固定する。なお、プレート２３は固定物３の種類に応じて棚受け金具や手摺用ブラケットに変更される。また、固定物３は例えばカーテンレールのようにプレート２３などの受け金具を介することなく直接内装材４及び下地合板５にビスで固定されるものであっても良い。
【００２８】
また、固定物３が間仕切壁の端部である場合には、図１０に示すように、間仕切壁の端部を設置するためのスタッド２４やランナーをビスで内装材４及び下地合板５に固定し、間仕切壁を形成してもよい。
【００２９】
なお、本実施形態においては、固定物３の固定は内装材４及び下地合板５にビスが打ち込まれて固定されるものであるが、例えば内装材４と連結金具とにビスを打ち込んで固定することも可能である。
【００３０】
本発明の実施の形態は上述の形態に限ることなく、本発明の思想の範囲を逸脱しない範囲で適宜変更することができることは云うまでもない。
【産業上の利用可能性】
【００３１】
本発明に係る連結金具１及び屋内面構造２は例えば住宅の屋内面Ｓの下地合板５を連結する金具及び屋内面構造２として好適に用いることができる。
【符号の説明】
【００３２】
１      連結金具
２      屋内面小僧
３      固定物
４      内装材
５      下地合板
６      設置部材
１１    固定部
１２    連結部
１３    緩衝材
【図１】
2019105057.tif 000003
【図２】
2019105057.tif 000004
【図３】
2019105057.tif 000005
【図４】
2019105057.tif 000006
【図５】
2019105057.tif 000007
【図６】
2019105057.tif 000008
【図７】
2019105057.tif 000009
【図８】
2019105057.tif 000010
【図９】
2019105057.tif 000011
【図１０】
2019105057.tif 000012
【図１１】
2019105057.tif 000013
【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
屋内面に沿って固定される固定物を支持するために内装材の裏面に設けられる左右に分割された一対の下地合板を連結する連結金具であって、
前記一対の下地合板にそれぞれ固定する両側の固定部と、当該固定部同士を連結する平板状の連結部と、を備え、
前記連結部は前記下地合板よりも薄く、且つ、当該下地合板の厚さ方向における前記内装材寄りの位置に配置され、
前記固定部は前記下地合板の前記内装材側となる面に当接する平面部と、前記下地合板の前記内装材と逆側となる面に当接する当接片とを有し、前記下地合板の端部を挟んで保持するものであり、
前記当接片はその先端が前記平面部から離反する方向に延びることを特徴とする連結金具。
【請求項２】
前記連結部の前記内装材側と逆側となる面に緩衝材が設けられることを特徴とする請求項１に記載の連結金具。
【請求項３】
壁内、天井懐内、又は小屋裏内に設置される設置部材と、
屋内面を形成する内装材と、
前記屋内面に沿って固定される固定物を支持するために、前記内装材の裏面に設けられる左右に分割された一対の下地合板と、
前記一対の下地合板を連結する連結金具と、を備え、
前記連結金具は、前記一対の下地合板にそれぞれ固定する両側の固定部と、前記固定部の間で当該固定部同士を連結する平板状の連結部と、を有し、
前記連結部は、前記下地合板よりも薄く、当該下地合板の厚さ方向における前記内装材寄りの位置に配置されており、
前記設置部材はその一部が前記一対の下地合板の間に挿入されていることを特徴とする屋内面構造。
【手続補正２】
【補正対象書類名】明細書
【補正対象項目名】０００６
【補正方法】変更
【補正の内容】
【０００６】
本発明の連結金具は、屋内面に沿って固定される固定物を支持するために内装材の裏面に設けられる左右に分割された一対の下地合板を連結する連結金具であって、前記一対の下地合板にそれぞれ固定する両側の固定部と、当該固定部同士を連結する平板状の連結部と、を備え、前記連結部は前記下地合板よりも薄く、且つ、当該下地合板の厚さ方向における前記内装材寄りの位置に配置され、前記固定部は前記下地合板の前記内装材側となる面に当接する平面部と、前記下地合板の前記内装材と逆側となる面に当接する当接片とを有し、前記下地合板の端部を挟んで保持するものであり、前記当接片はその先端が前記平面部から離反する方向に延びることを特徴としている。
【手続補正３】
【補正対象書類名】明細書
【補正対象項目名】０００８
【補正方法】削除
【補正の内容】
【手続補正４】
【補正対象書類名】明細書
【補正対象項目名】００１０
【補正方法】変更
【補正の内容】
【００１０】
本発明の連結金具によると、左右に分割された一対の下地合板を連結金具で連結することによって一体化することができ、分割されていない一枚の下地合板を固定する場合と同様の納まりで壁内、天井懐内、又は小屋裏内に固定することができる。そして、連結金具の連結部は下地合板よりも薄く、且つ、当該下地合板の厚さ方向における内装材寄りの位置に配置されるので、例えば柱材や梁材などの設置部材が設置される位置で下地合板を左右に分割することで、これらの設置部材と下地合板との干渉を避けることができ、屋内壁面を屋内側にふかすことなく、必要な箇所に下地合板を配置することができる。
さらに、本発明の連結金具によると、固定部の当接片の先端が平面部から離反する方向に延びるので、下地合板を当接片と平面部との間に挿入する際にガイドの役割を果たすことができ、挿入を容易にすることができる。
【手続補正５】
【補正対象書類名】明細書
【補正対象項目名】００１２
【補正方法】削除
【補正の内容】